(57)【要約】【課題】天板に被検者を固定する固定ベルトの脱着が容易な被検者固定装置を提供する。【解決手段】被検者を載置する寝台１の天板１ｃに被検者を固定する被検者固定装置であって、天板１ｃの両側に設けられ、かつ長手方向に溝４ｄを有する係止レール４ａと、溝４ｄより係止レール４ａ内に圧入することにより、係止レール４ａの任意な位置に係止自在な係止部材４ｂと、係止レール４ａより係止部材４ｂを離脱させる離脱手段５と、係止部材４ｂに端部が取り付けられ、かつ天板１ｃに前記被検者を固定する固定ベルト３とから構成したもので、係止レール４ａの任意な位置に固定ベルト３を取り付けることができる上、離脱手段５によって係止レール４ａより固定ベルト３を簡単に取り外すことができる。【選択図】図２
2005080948.tif 000002
【特許請求の範囲】
【請求項１】
被検者を載置する寝台の天板に前記被検者を固定する被検者固定装置であって、前記天板の両側に設けられ、かつ長手方向に溝を有する係止レールと、前記溝より前記係止レール内に圧入することにより、前記係止レールの任意な位置に係止自在な係止部材と、前記係止レールより前記係止部材を離脱させる離脱手段と、前記係止部材に端部が取り付けられ、かつ前記天板に前記被検者を固定する固定ベルトとを具備したことを特徴とする被検者固定装置。
【請求項２】
前記係止部材を、前記固定ベルトの取り付け側に斜めに突出する係止部を有する断面ほぼ錨に形成し、また前記係止レールに形成された前記溝の開口縁に、前記係止部材の係止部が係合する鉤状の係止爪を形成してなる請求項１に記載の被検者固定装置。
【請求項３】
前記係止レールを面ファスナにより前記天板の両側縁に着脱自在に取り付けてなる請求項１または２に記載の被検者固定装置。
【発明の詳細な説明】
【技術分野】
【０００１】
本発明はＣＴ装置やＭＲＩ装置、Ｘ線診断装置、量子線治療装置等に設置された寝台に被検者を固定するための被検者固定装置に関する。
【背景技術】
【０００２】
従来この種の装置には、寝台に横になった被検査者が検査中に動かないように固定する被検者固定装置が設けられている（例えば特許文献１、２）。
【０００３】
【特許文献１】実開平６−７４１０７号公報
【特許文献２】特開２０００−２７９４６０号公報
【０００４】
前記特許文献１に記載された「患者載置用テーブル装置」は、クレードルの長手方向に固着されたベースレールにアタッチメントレールの筒状体を係止し、かつ前記アタッチメントレールに、クレードルに載置された患者を巻き付け固定するストラップの帯部と一体化された玉ぶち形状部を滑動自在に嵌合したもので、アタッチメントレールを設けることによりベースレールの損傷が避けられる上、アタッチメントレールが損傷した場合、アタッチメントレールのみを交換すればよいため、クレードルごと交換する必要がない等の効果を有している。
【０００５】
また特許文献２に記載された「被検体固定装置」は、天板の側部に、パイルテープとフックテープからなる接着テープによりアタッチメントベルトの一端側を着脱自在に取り付けると共に、アタッチメントベルトの他端に設けられた受け部内に固定ベルトの一端側に形成された鉤型形状の嵌め込み部を嵌合したもので、固定ベルトにより被検体を固定した際、固定ベルトをアタッチメントベルトから引き抜こうとする力が加わっても、受け部に締め付け力が発生するため、アタッチメントベルトより固定ベルトが抜け外れることがない等の効果を有している。
【発明の開示】
【発明が解決しようとする課題】
【０００６】
しかし前記特許文献１に記載された患者載置用テーブル装置のように、軸方向に溝が形成されたアタッチメントレールの筒状体内に、玉ぶち形状部を摺動自在に嵌合したものでは、患者を固定する際ストラップに大きな引張り力が作用すると、溝より玉ぶち形状部が抜け出す虞がある。
このため玉ぶち形状部を大きくして、ストラップに大きな引張り力が作用しても溝より玉ぶち形状部が抜け出さないようにする必要があるが、玉ぶち形状部を大きくすると、これに合わせてアタッチメントレールも大きくする必要があるため、アタッチメントレールが大型化してベースレールの外側に大きく張り出すことから体裁が悪い上、部品コストも嵩む等の問題がある。
【０００７】
またアタッチメントレールよりストラップを取り外す場合、玉ぶち状部をアタッチメントレールの端部まで移動しないとストラップを取り外すことができないことから、ストラップを使用しないときには、アタッチメントレールよりストラップを垂れ下げた状態でクレードルに患者を載置したり、クレードルから移動寝台（ストレッチャ）に患者を移動させる作業を日常的に行っており、このため垂れ下がったストラップにストレッチャを引っ掛けて、ストラップや玉ぶち状体部、アタッチメントレール等を損傷させる等の問題がある。
【０００８】
一方前記特許文献２に記載された被検体固定装置のように、天板の側部に面ファスナよりなる接着テープによりアタッチメントベルトの一端を着脱自在に固定したものでは、接着テープにより強固にアタッチメントベルトを天板に固定できる利点を有する反面、天板よりアタッチメントベルトを取り外す場合大きな力を必要とする。
このため前記特許文献１と同様に、固定ベルトを使用しないときには、アタッチメントベルトより固定ベルトを垂れ下げた状態で天板に被検者を載置したり、天板からストレッチャへ被検者を移動する作業を行うことが多く、その結果垂れ下がった固定ベルトにストレッチャを引っ掛けて、固定ベルトやアタッチメントベルト、受け部等を損傷させる等の問題がある。
【０００９】
本発明はかかる従来の問題を改善するためになされたもので、天板に被検者を固定する固定ベルトの脱着が容易な被検者固定装置を提供することを目的とするものである。
【課題を解決するための手段】
【００１０】
本発明の被検者固定装置は、被検者を載置する寝台の天板に被検者を固定する被検者固定装置であって、天板の両側に設けられ、かつ長手方向に溝を有する係止レールと、溝より係止レール内に圧入することにより、係止レールの任意な位置に係止自在な係止部材と、係止レールより係止部材を離脱させる離脱手段と、係止部材に端部が取り付けられ、かつ天板に前記被検者を固定する固定ベルトとから構成したものである。
【００１１】
前記構成により、係止レールの任意な位置に固定ベルトを取り付けることができるため、被検者の体格や固定する位置に応じて固定ベルトの位置調整が容易に行えると共に、固定ベルトの不使用時には、離脱手段によって係止レールより固定ベルトが簡単に取り外せるため、被検者を天板上に載置したり、天板上より被検者をストレッチャへ移動する際、ストレッチャが固定ベルトに引っ掛かることがなく、これによって固定ベルトや係止レール、係止部材等が損傷されるのを未然に防止することができる。
【００１２】
本発明の被検者固定装置は、係止部材を、固定ベルトの取り付け側に斜めに突出する係止部を有する断面ほぼ錨に形成し、また係止レールに形成された溝の開口縁に、係止部材の係止部が係合する鉤状の係止爪を形成したものである。
【００１３】
前記構成により、天板上に被検者を固定すべく固定ベルトを強く引っ張っても、係止レールの係止爪に係止部材の係止部が係止されて、係止レールより係止部材が抜け外れることがないため、天板上に被検者を確実に固定することができる。
【００１４】
本発明の被検者固定装置は、離脱手段を、係止レールの溝を弾性的に拡張することにより、係止レールより係止部材を離脱させる溝拡張部材により形成したものである。
【００１５】
前記構成により、係止レールの溝に溝拡張部材を圧入した状態で係止部材を引き抜くことにより、簡単に固定ベルトが取り外せるため、固定ベルトの脱着作業が小さな操作力で容易に行える。
【００１６】
本発明の被検者固定装置は、離脱手段を、中空形状に形成された係止部材と一体に形成され、かつ圧縮することにより係止レールより係止部材を離脱させる押圧部により形成したものである。
【００１７】
前記構成により、押圧部を押圧することにより、係止レールより係止部材を簡単に引き抜くことができるため、固定ベルトの脱着作業が小さな操作力で容易に行える。
【００１８】
本発明の被検者固定装置は、係止レールを面ファスナにより天板の両側縁に着脱自在に取り付けたものである。
【００１９】
前記構成により、長期間使用している間に係止レールの取り付け部が汚損したり破損しても、天板より簡単に取り外せるため、係止レールを交換する等のメンテナンス作業が容易に行える。
【発明の効果】
【００２０】
本発明は以上詳述したように、係止レールの任意な位置に固定ベルトを取り付けることができるため、被検者の体格や固定する位置に応じて固定ベルトの位置調整が容易に行えると共に、固定ベルトの不使用時には、離脱手段によって係止レールより固定ベルトが簡単に取り外せるため、被検者を天板上に載置したり、天板上より被検者をストレッチャへ移動する際、ストレッチャが固定ベルトに引っ掛かることがないため、固定ベルトや係止レール、係止部材等が損傷されるのを未然に防止することができる。
【発明を実施するための最良の形態】
【００２１】
本発明の実施の形態を、図面を参照して詳述する。
図１はＣＴ装置やＭＲＩ装置、Ｘ線診断装置、量子線治療装置（何れも図示せず）により検査する被検者を載置するための寝台の斜視図、図２は寝台の天板上に載置した被検者を固定する固定装置の断面図、図３は係止手段付近を示す斜視図、図４図３のＡ−Ａ線に沿う断面図、図５は作用説明図である。
図１に示す寝台本体１は、基台１ａの上部に形成された載置部１ｂの中央部に、天板１ｃがほぼ水平に設置された構造で、天板１ｃは被検者（図示せず）を載置するのに十分な幅と長さを有している。
天板１ｃの上面は、中央部分が低くなるようほぼ全長に亘って凹円弧状に湾曲されており、天板１ｃの両側縁１ｄはナイフエッジ状となっていて、この両側縁１ｄの上下面に止着手段２により複数本、例えば３本の固定ベルト３が着脱自在に取り付けられている。
固定ベルト３は、ほぼ同じ長さに形成された一対のベルト本体３ａ、３ｂにより形成されていて、これらベルト本体３ａ、３ｂの一端側に係止手段４及び離脱手段５が設けられている。
【００２２】
係止手段４は図２及び図３に示すようにベルト本体３ａ、３ｂの幅より長さの長い筒状の係止レール４ａと、この係止レール４ａ内に係脱自在に嵌合された係止部材４ｂとからなり、何れもＸ線吸収係数の小さい例えばポリプロピレン等の合成樹脂により成形されていると共に、係止レール４ａの外周面には、板状の取り付け部４ｃが突設されていて、この取り付け部４ｃに面ファスナ２ａ，２ｂよりなる前記止着手段２が取り付けられている。
一方の面ファスナ２ａは対向面が止着面となっていて、天板１ｃの両側縁１ｄに固着された他方の面ファスナ２ｂに止着することにより、天板１ｃの両側縁１ｄに対して固定ベルト３が着脱自在に取り付けられており、係止レール４ａの取り付け部４ｃと反対の外周面には、軸線方向にスリット状の溝４ｄが全長に亘って形成されていて、溝４ｄの開口縁には内側へ屈曲する鉤状の係止爪４ｅが形成されており、これら係止爪４ｅに係止レール４ａ内に嵌合された係止部材４ｂの係止部４ｆが内側より係止されるようになっている。
係止部材４ｂは、係止レール４ａ内を軸線方向に摺動自在となっていて、図４に示すように断面がほぼ錨形となっており、係止レール４ａの係止爪４ｅに内側より係合する係止部４ｆは、取り付け部４ｇを挟んで順次外側へ拡開するよう斜めに形成されている。
【００２３】
一方係止手段４の係止部材４ｂは、係止レール４ａに形成された溝４ｄの任意な位置より係止レール４ａ内に圧入できるようになっている。
すなわち係止部材４ｂは、係止レール４ａの溝幅より大きくなっているが、ほぼ錨形に形成された係止部材４ｂの先端側を係止レール４ａの溝４ｄへ圧入すると、合成樹脂により形成された係止レール４ａが弾性変形した溝４ｄが拡幅するため、溝４ｄの任意の位置より係止レール４ａ内に係止部材４ｂが嵌合できるようになっている。
係止部材４ｂの板状取り付け部４ｇには、係止レール４ａ内より係止部材４ｂを取り外す際、溝４ｄの幅を拡張する溝拡張部材５ａよりなる離脱手段５が取り付けられている。
溝拡張部材５ａは図３に示すように、扁平なブロック状のスライダよりなり、全体がＸ線吸収係数の小さい例えばポリプロピレン等の合成樹脂により一体成形されている。
溝拡張部材５ａ内には、厚み方向のほぼ中間部にスリット５ｂが形成されていて、このスリット５ｂ内に係止部材４ｂの取り付け部４ｇを挿入することにより、取り付け部４ｇの長手方向に溝拡張部材５ａがスライド自在となっており、溝拡張部材５ａの係止部材４ｂと対向する面には、溝拡張部材５ａを係止レール４ａ側へスライドさせて、係止レール４ａ内より係止部材４ｂを引き抜いた際、係止部材４ｂが嵌合する凹部５ｃが形成されている。
【００２４】
凹部５ｃの両側には、先端側が順次薄肉となるテーパ状の溝拡張部５ｄが形成されていて、この溝拡張部５ｄの先端部を係止レール４ａの溝４ｄに外側より嵌挿した状態で溝拡張部材５ａを係止レール４ａ側へ強く押圧することにより、溝拡張部５ｄのテーパ面により溝４ｄの幅を拡張できるようになっていると共に、係止部材４ｂより突設された取り付け部４ｇの端部には、各ベルト本体３ａ、３ｂの一端側が接着等の手段で固着されている。
一方のベルト本体３ａの他端側には、端部及び端部より係止手段４側に寄った位置に一対のバックル６が取り付けられている。
これらバックル６は、固定ベルト３により天板１ｃ上に固定する被検者の体格に応じて固定ベルト３の長さを調整するもので、Ｘ線吸収係数の小さい例えばポリプロピレン等の合成樹脂によりほぼ角環状に形成されており、ベルト本体３ａの他端側に設けられたバックル６ａは、ベルト本体３ａの端部を巻き付けた状態で縫着され、他端部より係止手段４側に寄った位置に設けられたバックル６ｂは、帯状片３ｃをベルト本体３ａに縫着することにより取り付けられている。
そして他方のベルト本体３ｂの他端側には、面ファスナよりなる止着手段７が取り付けられていて、バックル６ａまたは６ｂを迂回させたベルト本体３ｂの他端側を止着手段７によってベルト本体３ｂに止着することにより、被検者の胸や腰、足等を固定ベルト３で天板１ｃに固定できるようになっている。
【００２５】
次に前記構成された被検者固定装置の作用を説明する。
ＣＴ装置等により被検者を検査するに当たっては、ストレッチャにより搬送されてきた被検者をＣＴ装置等に設置された寝台１の天板１ｃ上に載置する。
次に被検者の固定位置に応じて予め天板１ｃの両側縁１ｄに止着手段２により固定した複数の固定ベルト３により被検者の胸や腰、足等を固定するが、固定当たっては、止着手段２により天板１ｃの両側縁に固定した係止レール４ａの溝４ｄより、ベルト本体３ａ、３ｂの端部に取り付けた係止部材４ｂを係止レール４ａ内へ圧入する。
係止部材４ｂは、予めほぼ錨形に形成されていて上、係止レール４ａもポリプロピレンのような弾性を有する合成樹脂により成形されていることから、溝４ｄに係止部材４ａを圧入することにより溝４ｄの幅が拡大するため、係止部材４ｂを係止レール４ａ内に容易に嵌挿することができる。
係止部材４ｂを係止レール４ａ内に嵌挿したら、係止レール４ａ内で係止部材４ｂを摺動させて被検者の固定位置を微調整し、固定位置が決定したら一方のベルト本体３ａに設けたバックル６に他方のベルト本体３ｂの他端側を挿入して締め付け、ベルト本体３ｂの他端部を止着手段７によりベルト本体３ｂに固定する。
【００２６】
以上の操作を各固定ベルト３毎に行って、被検者を寝台１の天板１ｃに固定したら、ＣＴ装置等内に寝台１を移動させ、もしくは固定した寝台に対してＣＴ装置側を移動させて被検者の検査を行うもので、天板１ｃに被検者を固定する際ベルト本体３ｂを強く引張ったために係止手段４に大きな引張り力が作用すると、係止部材４ｂの係止部４ｆが係止レール４ａの係止爪４ｅに内側より図４に示すように強く係合すると同時に、ベルト本体３ａ、３ｂが強く引張られるほど係合が強固となるため、係止レール４ａ内より係止部材４ｂが抜け外れることがない。
【００２７】
一方被検者の検査が終了したら、固定ベルト３を緩めて被検者を解放し、ストレッチャへ被検者を移動させるが、このとき固定ベルト３を予め取り外すことにより、固定ベルト３にストレッチャが引っ掛かることがない。
固定ベルト３を取り外すに当たっては、係止部材４ｂの取り付け部４ｇに嵌合した離脱手段５の溝拡張部材５ａを図５に示すよう矢印Ｂ方向へスライドさせて、溝拡張部５ｄを係止レール４ａの溝４ｄ内に当接させた状態で、ベルト本体３ａ、３ｂを矢印Ｃ方向へ引張りながら溝拡張部材５ａを矢印Ｂ方向へさらに押圧して、溝拡張部材５ａの溝拡張部で溝４ｄの幅を拡張する。
これによって係止レール４ａが弾性変形して溝４ｄの幅が拡大するため、係止レール４ａ内に嵌合された係止部材４ｂを溝４ｄより図５の仮想線で示す位置まで抜き出すことにより、係止レール４ａより固定ベルト３を容易に取り外すことができる。
また固定ベルト３を使用しないときにも、前記と同様な操作で固定ベルト３を取り外しておくことにより、被検者を移送するストレッチャに固定ベルト３が引っ掛かることがないため、固定ベルト３や係止手段４が損傷されるのを未然に防止することができる。
【００２８】
なお前記実施の形態では、離脱手段５の溝拡張部材５ａにテーパ状の溝拡張部５ｄを形成したが、溝拡張部５ｄを半円筒に形成してもよく、要は溝５ｄの幅が拡張できれば、その形状に限定されるものではい。
また係止部材４ｂの取り付け部４ｇにスライド自在に設けた離脱手段５により係止レール４ａの溝４ｄを拡張して係止部材４ｂを取り外すようにしたが、図６及び図７に示す変形例のように、係止部材４ｂ及び押圧部４ｊを中空構造に一体成形して、係止部材４ｂ及び押圧部４ｊを矢印Ｄ方向より圧迫することにより、係止部材４ｂの厚みを縮小して溝４ｄ内より係止部材４ｂを取り出すようにしてもよい。
この場合離脱手段５が不要となると共に、中空構造の係止部材４ｂ及び押圧部４ｊは、ポリプロピレン等の合成樹脂を押し出し成形することにより、簡単に製作することができる。
【００２９】
一方図８及び図９は、係止レール４ａ内より係止部材４ｂを取り出さずにベルト本体３ａ、３ｂが取り外せるようにした変形例を示すもので、図８は係止部材４ｂの取り付け部にファスナ８によりベルト本体３ａ、３ｂの一端を着脱自在に取り付けており、ファスナ８を分離することにより係止部材４ｂよりベルト本体３ａ、３ｂが取り外せるようになっている。
図９に示す変形例は、係止部材４ｂの取り付け部にスナップ釦９によりベルト本体３ａ、３ｂの一端を着脱自在に取り付けたもので、スナップ釦９を分離することにより、係止部材４ｂよりベルト本体３ａ、３ｂが取り外せるようになっている。
【産業上の利用可能性】
【００３０】
本発明の被検者固定装置は、寝台に被検者を固定して検査を行う医療機器全般に適用できるものである。
【図面の簡単な説明】
【００３１】
【図１】本発明の実施の形態になる被検者固定装置を備えた寝台の斜視図である。
【図２】本発明の実施の形態になる被検者固定装置の断面図である。
【図３】本発明の実施の形態になる被検者固定装置の係止手段付近を示す斜視図である。
【図４】図３のＡ−Ａ線に沿う断面図である。
【図５】本発明の実施の形態になる被検者固定装置の作用説明図である。
【図６】本発明の実施の形態になる被検者固定装置の変形例を示す係止手段付近の斜視図である。
【図７】本発明の実施の形態になる被検者固定装置の変形例を示す作用説明図である。
【図８】本発明の実施の形態になる被検者固定装置の変形例を示す係止手段付近の斜視図である。
【図９】本発明の実施の形態になる被検者固定装置の変形例を示す係止手段付近の斜視図である。
【符号の説明】
【００３２】
１    寝台
１ｃ    天板
２ａ    面ファスナ
２ｂ    面ファスナ
３    固定ベルト
４ａ    係止レール
４ｂ    係止部材
４ｄ    溝
４ｅ    係止爪
４ｆ    係止部
４ｊ    押圧部
５    離脱手段
５ａ    溝拡張部材
【図１】
2005080948.tif 000003
【図２】
2005080948.tif 000004
【図３】
2005080948.tif 000005
【図４】
2005080948.tif 000006
【図５】
2005080948.tif 000007
【図６】
2005080948.tif 000008
【図７】
2005080948.tif 000009
【図８】
2005080948.tif 000010
【図９】
2005080948.tif 000011